(57)【要約】【課題】表示装置における表示映像が、人体や物体により遮られた場合でも、ユーザが必要な情報を得ることができる表示装置を提供する。【解決手段】表示装置１は、映像を表示する表示パネル１０と、表示パネル１０における表示映像を遮蔽する物体等を検知するセンサと、前記センサにより検知された物体等により表示パネル１０における前記表示映像が遮られる遮蔽領域１０ａ、又は、遮られない非遮蔽領域１０ｂの位置情報を検知する領域検知部と、前記位置情報に基づき、非遮蔽領域１０ｂに表示中の映像を縮小表示する表示制御部を備える。【選択図】図１
2011232979.tif 000002
【特許請求の範囲】
【請求項１】
映像を表示する表示パネルと、
前記表示パネルにおける表示映像を遮蔽する物体等を検知するセンサと、
前記センサにより検知された物体等により前記表示パネルにおける前記表示映像が遮られる遮蔽領域、又は、遮られない非遮蔽領域の位置情報を検知する領域検知部と、
前記位置情報に基づき、非遮蔽領域に表示中の映像を縮小表示する表示制御部を備えたことを特徴とする表示装置。
【請求項２】
請求項１に記載の表示装置において、
少なくとも前記表示中の映像に関連する映像データを入力する映像データ入力部を備え、
前記表示制御部は、非遮蔽領域を複数の四角形の領域に分割し、分割した複数の領域の中の最大面積の領域に表示中の映像を縮小表示すると共に、他の領域に前記映像データ入力部から入力された映像データに係る映像を表示することを特徴とする表示装置。
【請求項３】
請求項１又は２に記載の表示装置において、
前記表示制御部は、遮蔽領域、又は、非遮蔽領域の位置情報の変化を検知し、前記変化後の位置情報に基づき、非遮蔽領域に表示中の映像を再表示することを特徴とする表示装置。
【請求項４】
請求項３に記載の表示装置において、
前記表示制御部は、前記変化後の状態が所定時間継続すると、前記変化後の位置情報に基づき、非遮蔽領域に表示中の映像を再表示することを特徴とする表示装置。
【発明の詳細な説明】
【技術分野】
【０００１】
本発明は、表示パネルの表示領域を分割し、当該分割した領域に映像を表示する表示装置に関する。
【背景技術】
【０００２】
近年、インフォメーションディスプレイ等の情報表示装置は、宣伝効果の高い表示媒体として注目されている。インフォメーションディスプレイの一形態として、例えば、表示装置をテーブルに組み込んだテーブルディスプレイがある。
特許文献１には、テーブルの天板を液晶ディスプレイ（ＬＣＤ）や有機ＥＬ（Electro-Luminescence）等の表示パネル（表示装置）から構成したテーブルディスプレイが開示されている。
【先行技術文献】
【特許文献】
【０００３】
【特許文献１】特開２００５−３３９００７号公報
【発明の概要】
【発明が解決しようとする課題】
【０００４】
このようなテーブルディスプレイを使用するユーザは、書類等を表示パネル（天板）上に置くことがある。すると、この書類等により表示パネルにおける表示映像が遮られてしまう。その結果、ユーザは全映像を見ることができなり、必要な情報を得られない。
垂直型のディスプレイ、例えば、歩道に面した店舗の壁面に設けられ、ニュース等を表示する表示装置の場合も同様に、物体等の遮蔽物によって、ユーザの映像視聴が遮られることがある。
【０００５】
本発明は、かかる実情に鑑みてなされたものであり、表示装置における表示映像が、人体や物体（以下、これらを物体と略記する）により遮られた場合でも、ユーザが必要な情報を得ることができる表示装置を提供することを目的とする。
【課題を解決するための手段】
【０００６】
第１の技術手段は、映像を表示する表示パネルと、前記表示パネルにおける表示映像を遮蔽する物体等を検知するセンサと、前記センサにより検知された物体等により前記表示パネルにおける前記表示映像が遮られる遮蔽領域、又は、遮られない非遮蔽領域の位置情報を検知する領域検知部と、前記位置情報に基づき、非遮蔽領域に表示中の映像を縮小表示する表示制御部を備えたことを特徴とする表示装置である。
【０００７】
第２の技術手段は、第１の技術手段の表示装置において、少なくとも前記表示中の映像に関連する映像データを入力する映像データ入力部を備え、前記表示制御部は、非遮蔽領域を複数の四角形の領域に分割し、分割した複数の領域の中の最大面積の領域に表示中の映像を縮小表示すると共に、他の領域に前記映像データ入力部から入力された映像データに係る映像を表示することを特徴とするものである。
【０００８】
第３の技術手段は、第１又は第２の技術手段の表示装置において、前記表示制御部は、遮蔽領域、又は、非遮蔽領域の位置情報の変化を検知し、前記変化後の位置情報に基づき、非遮蔽領域に表示中の映像を再表示することを特徴とするものである。
【０００９】
第４の技術手段は、第３の技術手段の表示装置において、前記表示制御部は、前記変化後の状態が所定時間継続すると、前記変化後の位置情報に基づき、非遮蔽領域に表示中の映像を再表示することを特徴とするものである。
【発明の効果】
【００１０】
本発明によれば、表示装置における表示映像の一部が物体により遮られた場合であっても、非遮蔽領域に映像を表示するので、ユーザは必要な情報を得ることができる。また、遮蔽領域には映像を表示しないので、省エネとなる。
【図面の簡単な説明】
【００１１】
【図１】本発明に係る表示装置の映像表示処理を説明する図である。
【図２】本発明に係る表示装置の機能ブロック図である。
【図３】表示パネルの全表示領域を四角形に区画した状態を模式的に示す図である。
【図４】ユーザパラメータ設定処理を説明するフロー図である。
【図５】本発明の映像表示処理を説明するフロー図である。
【発明を実施するための形態】
【００１２】
図１は、本発明に係る表示装置の映像表示処理を説明する図である。ここでは、表示装置１は、テーブルの天板部（図示しない）に組み込まれ、表示装置１の表示パネル１０がテーブルの天板として用いられているとする。また、表示装置１は、飲食店等のテーブルディスプレイとして使用され、表示パネル１０には、飲食店のメニュー映像が表示されているとする。このメニュー映像は、料理の写真、当該料理のカロリー、価格等である。
【００１３】
図１（Ａ）に示すように、ユーザ（客）が、書類等の遮蔽物（物体）を表示パネル１０の右側に置くとする。すると、表示装置１は、表示パネル１０における表示映像が書類により遮られる遮蔽領域１０ａ、表示映像が前記書類により遮られない非遮蔽領域１０ｂの位置情報を検知する。ここでは、遮蔽領域１０ａ、非遮蔽領域１０ｂの形状は四角形であるとする。
表示装置１は、非遮蔽領域１０ｂに表示中のメニュー映像を縮小表示し、遮蔽領域１０ａには映像を表示しない。この非遮蔽領域１０ｂは、主画面領域に対応する。
【００１４】
図１（Ｂ）に示すように、ユーザが、図１（Ａ）よりも小さい書類を表示パネル１０の右側に置くとする。この場合、非遮蔽領域１０ｂは、四角形ではない。そこで、表示装置１は、非遮蔽領域１０ｂを、２つの四角形の領域に分割し、最大面積の領域（主画面領域１０１ｂ）にメニュー映像を縮小表示すると共に、他の領域（サブ画面領域１０２ｂ）にメニュー映像に関連する映像を表示する。
【００１５】
前記メニュー映像に関連する映像としては、例えば、メニュー表示切替用の映像、お勧めメニュー映像、飲食店内のレイアウト映像がある。なお、前記レイアウト映像としては、トイレの場所を説明する映像、飲食店内でバイキングを提供している場合には、食器の置いてある位置や提供している料理等の位置を説明する映像がある。
【００１６】
図１（Ｂ）に示した状態から、ユーザが、図１（Ｃ）に示すように、表示パネル１０の左側に書類を置くとする。この場合も、非遮蔽領域１０ｂは、四角形ではない。そこで、非遮蔽領域１０ｂを、３つの四角形の領域に分割し、最大面積の領域（主画面領域１０３ｂ）にメニュー映像を縮小表示すると共に、サブ画面領域１０４ｂ、１０５ｂにメニュー映像に関連する映像を表示する。
このように複数の分割領域がある場合には、最大面積の分割領域を主画面領域として、以下、主画面領域以外の分割領域を面積が大きい順にサブ画面領域１、２、３と順次定義し、このサブ画面領域に各種映像を表示する。
【００１７】
なお、図１（Ａ）〜図１（Ｃ）においては、主画面領域、サブ画面領域に表示する映像のアスペクト比を変更しているが、図１（Ｄ）に示すように、図１（Ａ）の状態で主画面領域（非遮蔽領域１０ｂ）に表示する映像のアスペクト比を変更しなくてもよい。アスペクト比を変更していないのでグレー部分Ｇには映像は表示されていない。同じく、図１（Ｅ）は、図１（Ｂ）の状態で、主画面領域、サブ画面領域に表示する映像のアスペクト比を変更していない表示映像を示している。他にも、図１（Ｃ）の状態で、図１（Ｆ）に示すように、非遮蔽領域を分割することもできる。
【００１８】
図２は、図１に示した映像表示を実行する、本発明に係る表示装置１の機能ブロック図である。
表示装置１は、表示パネル１０、映像データ入力部１１、映像表示制御部１２、記憶部１３、電極駆動部１４、センサ１５、領域検知部１６、リモコン受信部１７、制御部１８を備える。図１で説明したように、表示装置１は、テーブルの天板部（図示しない）に組み込まれ、表示パネル１０が天板として用いられているとする。
【００１９】
映像データ入力部１１は、図示しないチューナや外部記録装置から出力される映像データを表示装置１に入力し、映像表示制御部１２、記憶部１３に出力する。この映像データとしては、表示装置１の使用形態によって様々なデータがある。例えば、図１で説明したように、表示装置１を飲食店等のテーブルディスプレイとして使用する場合には、映像データとしては飲食店のメニューデータ、お勧めメニューデータ、飲食店の宣伝用データ等があり、この場合、記憶部１３に映像データを出力する。また、テレビ番組の映像データの場合には、映像表示制御部１２に映像データを出力する。
【００２０】
映像表示制御部１２は、映像データ入力部１１又は記憶部１３から映像データを取得し当該映像データに対して各種データ処理を実行する。そして、前記映像データに基づき電極駆動部１４の駆動制御を実行して、１つ以上の映像を表示パネル１０に表示する処理を制御する。
【００２１】
また、映像表示制御部１２は、制御部１８から入力された遮蔽領域１０ａ、非遮蔽領域１０ｂの位置情報に基づき、非遮蔽領域１０ｂに表示中の映像を縮小表示し、遮蔽領域１０ａに映像を表示しない処理を実行する。
【００２２】
映像表示制御部１２は、非遮蔽領域１０ｂの位置情報に基づき、非遮蔽領域１０ｂを複数の四角形の領域に分割し、複数の領域の中の最大面積の領域に表示中の映像を縮小表示すると共に、他の領域に映像データ入力部１１又は記憶部１３から入力された映像データに係る映像を表示する。
【００２３】
映像表示制御部１２は、遮蔽領域１０ａ、又は、非遮蔽領域１０ｂの位置情報の変化を検知し、位置情報が変化すると、前記変化後の位置情報に基づき、非遮蔽領域１０ｂに表示中の映像を再表示する。この際、前記変化後の状態が所定時間継続すると、前記再表示が実行される。なお、詳細については後述する。
【００２４】
映像表示制御部１２は、映像データ生成部１２ａを備える。映像データ生成部１２ａは、図１で説明した映像表示を実行するため、主画面領域に表示する映像（データ）、サブ画面領域に表示する映像（データ）が含まれる１フレーム分の映像データを生成する。映像表示制御部１２は、前記映像データに基づき電極駆動部１４の駆動制御を実行する。なお、詳細については、後述する。
【００２５】
記憶部１３は、映像データ１３ａ、ユーザパラメータ１３ｂ等の各種データを記憶する。映像データ１３ａは、例えば、メニュー映像の映像データ、当該メニュー映像に関連する映像の映像データである。なお、ユーザパラメータ１３ｂについては後述する。
【００２６】
電極駆動部１４は、映像表示制御部１２からの制御に基づき表示パネル１０の走査電極及びデータ電極を駆動し、表示パネル１０に映像を表示する。
表示パネル１０は、液晶層と当該液晶層に走査信号及びデータ信号を印加する電極とを有するアクティブマトリクス型の液晶パネルである。なお、液晶パネル以外にも有機ＥＬパネル等を利用することができる。
【００２７】
センサ１５は、表示パネル１０における表示映像を遮蔽する物体を検知する。具体的には、表示パネル１０に物体（遮蔽物）が置かれたこと、又は、表示パネル１０に置かれた物体が取り除かれたことを検知する。
【００２８】
領域検知部１６は、センサ１５により検知された物体により表示パネル１０における表示映像が遮られる遮蔽領域１０ａの位置情報、又は、遮られない非遮蔽領域１０ｂの位置情報を検知し、制御部１８に出力する。この検知方法については従来から提案されている様々な方法を用いることができる。
【００２９】
例えば、表示パネル１０に、センサ１５として機能するタッチパネルセンサを設け、表示パネル１０の表示領域を図３に示すように区画する。
図３は、表示パネル１０の全表示領域を四角形に区画した状態を模式的に示す図で、符号Ｂは、１区画を示す。
この区画内において前記タッチパネルが押圧を検知した場合、当該区画内に遮蔽物が有ると検知し、当該区画内を遮蔽領域とみなす。例えば、符号Ｂ１に示す領域の全区画において前記タッチパネルが押圧を検知した場合、符号Ｂ１に示す領域を遮蔽領域とみなす。この場合、符号Ｂ２に示す領域は、非遮蔽領域である。
【００３０】
また、特開２００７−２５７９６号公報、特開２００７−５２４９７号公報に開示されているように、表示パネルの上下左右辺部等に、発光素子（発光ダイオード等）と、受光素子（フォトトランジスタ等）を組み合わせたセンサを配置し、発光素子から照射された赤外線が、物体（遮蔽物）に反射して受光素子に入射することを検知して、遮蔽物の位置を検知してもよい。このようにすると、１枚の紙等の軽い物体が置かれた場合でも、その位置を検知することができる。
【００３１】
なお、表示パネル１０にタッチパネルを設け、メニュー映像を表示する場合、このタッチパネルを利用して、メニューを選択し、注文するようにしてもよい。
【００３２】
領域検知部１６は、センサ１５が、表示パネル１０に物体が置かれたこと、表示パネル１０に置かれた物体が取り除かれたことを検知すると、遮蔽領域１０ａ、非遮蔽領域１０ｂの位置情報を制御部１８に出力する。遮蔽領域１０ａの位置情報としては、図３に示した例では、物体が検知された区画の座標情報であり、非遮蔽領域１０ｂの位置情報としては、物体が検知されていない区画の座標情報である。座標情報だけでなく、区画を識別する識別番号であってもよい。なお、遮蔽領域１０ａ又は非遮蔽領域１０ｂの位置情報だけを出力してもよい。何れか一方の位置情報が決まれば、片方の位置情報も決定できるからである。
【００３３】
リモコン受信部１７は、表示装置１を遠隔操作するリモコン装置２が出力する制御信号を受信し、制御部１８に出力する。
制御部１８は、ユーザパラメータの設定処理を実行するパラメータ設定制御部１８ａ、計時機能を有するタイマ１８ｂを備え、各機能ブロックを制御する処理等を実行する。
【００３４】
以下に、ユーザパラメータの設定について説明する。
ユーザが、リモコン装置２を操作して、表示装置１にユーザパラメータ設定画面の表示を指示する。前記指示を受けた制御部１８のパラメータ設定制御部１８ａは、当該指示を映像表示制御部１２に通知する。前記通知を受けた映像表示制御部１２は、記憶部１３に記憶されているユーザパラメータ設定画面データ（ＯＳＤデータ）に基づき、ユーザパラメータ設定画面を表示パネル１０に表示する。
【００３５】
ユーザパラメータとしては、最小表示範囲、最大映像表示数、複数表示の情報、アスペクト比変更の有無、物体検知時間、非検知時間がある。ここで最小表示範囲とは、非遮蔽領域１０ｂに映像表示をする際の最小映像表示面積を意味する。この表示面積とは、図３に示したように表示パネル１０の表示領域を区画した場合には、非遮蔽領域１０ｂに対応する区画数（ブロック数）を意味する。例えば、最小表示範囲を５０に設定すると、図１（Ｃ）に示したサブ画面領域１０５ｂの区画数が５０未満の場合、映像表示制御部１２は、サブ画面領域１０５ｂに映像を表示しない。他にも、表示面積をインチ数等で示してもよい。
【００３６】
最大映像表示数とは、非遮蔽領域１０ｂに表示する映像の最大数を意味する。例えば、最大映像数を“２”に設定した場合、図１（Ｃ）に示したサブ画面領域１０５ｂには映像を表示せず、主画面領域１０３ｂ、サブ画面領域１０４ｂにのみ映像を表示する。
複数表示の情報とは、表示パネル１０に複数の映像を表示する場合、これら複数映像に係る各種情報を意味する。アスペクト比変更の有無は、非遮蔽領域１０ｂに映像を表示する際に、アスペクト比を変更するか否かを設定するパラメータを意味する。物体検知時間、非検知時間については後述する。
【００３７】
前記パラメータ設定画面を介して行うパラメータ設定が終了すると、パラメータ設定制御部１８ａは、設定されたパラメータを記憶部１３にユーザパラメータ１３ｂとして記憶する。
【００３８】
次に、本発明の映像表示処理の詳細について図１〜図３を適宜参照しながら説明する。以下の説明では、映像表示制御部１２は、記憶部１３の映像データ１３ａに含まれているメニュー映像データに基づき、電極駆動部１４を駆動制御し、メニュー映像を表示パネル１０の全面に表示しているとする。
【００３９】
図１（Ａ）に示したように、ユーザが、何も置かれていない状態の表示パネル１０の上に物体を置くと、センサ１５は、物体が表示パネル１０の上に置かれたことを検知する。そして、領域検知部１６は、遮蔽領域１０ａ、非遮蔽領域１０ｂの位置情報を検知し、制御部１８に出力する。
【００４０】
制御部１８が、領域検知部１６からの位置情報を受信すると、タイマ１８ｂは、時間計測を開始する。タイマ１８ｂが計測した時間が所定時間Ｘを過ぎても、物体が表示パネル１０に置かれている場合、即ち、所定時間Ｘが経過しても位置情報に変化が無い場合、遮蔽領域１０ａ、非遮蔽領域１０ｂの位置情報を映像表示制御部１２に出力する。所定時間Ｘは、パラメータ設定画面を介して設定する物体検知時間であり、例えば、秒単位又は分単位で設定することが可能である。
【００４１】
映像表示制御部１２は、制御部１８からの遮蔽領域１０ａ、非遮蔽領域１０ｂの位置情報を受信すると、領域検知部１６が検知した非遮蔽領域１０ｂに対応する表示パネル１０の領域に表示中のメニュー映像を縮小表示する処理を実行する。ここでは、映像データ生成部１２ａは、メニュー映像データに各種映像処理を実行し、表示パネル１０の非遮蔽領域１０ｂに表示する縮小映像を含む１フレーム分の映像データを生成する。
【００４２】
そして、映像表示制御部１２は、前記映像データに基づき電極駆動部１４の駆動制御を実行、即ち、縮小映像が表示パネル１０の非遮蔽領域１０ｂに表示されるように電極駆動部１４の駆動制御を実行する。その結果、表示パネル１０の非遮蔽領域１０ｂに縮小映像が表示される。映像表示制御部１２は、前記映像処理を実行すると、映像表示数等の映像処理に係る各種情報を記憶部１３に記憶する。
【００４３】
このように、映像表示制御部１２は、所定時間Ｘを過ぎても物体が表示パネル１０に置かれたままの場合にのみ、縮小映像の表示処理を実行するが、物体が一時的に表示パネル１０に置かれ、すぐに取り除かれた場合には、縮小映像の表示処理は実行しない。それ故、映像表示範囲の変化が頻発しないのでユーザが不快に感じることがない。
【００４４】
次に、図１（Ｂ）に示したように、ユーザが、物体を表示パネル１０の上に置くと、領域検知部１６は、遮蔽領域１０ａ、非遮蔽領域１０ｂの位置情報を制御部１８に出力する。前述したように、制御部１８は、タイマ１８ｂが計測した時間が所定時間Ｘを過ぎても、未だ物体が表示パネル１０に置かれている場合に、遮蔽領域１０ａ、非遮蔽領域１０ｂの位置情報を映像表示制御部１２に出力する。
【００４５】
映像表示制御部１２は、制御部１８からの遮蔽領域１０ａ、非遮蔽領域１０ｂの位置情報を受信すると、非遮蔽領域１０ｂが四角形でない場合には、領域検知部１６が検知した非遮蔽領域１０ｂに対応する表示パネル１０の領域を複数の四角形の領域に分割する。このとき、各領域の形状を、正方形ではなく、長方形にすることが好ましい。
【００４６】
分割方法としては、様々な方法がある。例えば、非遮蔽領域１０ｂにおいて、領域の幅と高さの比（領域アスペクト比）が１６：９である最大面積の四角形領域を分割し、これを主画面領域とする。そして、主画面領域以外の領域を領域アスペクト比が１６：９の四角形に分割し、面積が大きい順にサブ画面領域１、２、３とする。
図１（Ｂ）の例では、主画面領域１０１ｂ、サブ画面領域１０２ｂの２つの領域に分割する。
【００４７】
そして、映像表示制御部１２は、分割した複数の領域の中から最大面積の領域を選択し、当該選択した最大面積の領域に表示中のメニュー映像を縮小表示する。ここでは、主画面領域１０１ｂに、表示中のメニュー映像を縮小表示する処理を実行する。
【００４８】
そして、他の領域であるサブ画面領域１０２ｂにメニュー映像に関連する映像、又は、操作用画面を表示する。
【００４９】
ここでは、映像表示制御部１２の映像データ生成部１２ａは、記憶部１３の映像データ１３ａから、主画面領域１０１ｂに表示するメニュー映像に関連する映像データを取得する。そして、主画面領域１０１ｂに表示するメニュー映像（縮小映像）、サブ画面領域１０２ｂに表示する当該メニュー映像に関連する映像を含む１フレーム分の映像データを生成する。
【００５０】
映像表示制御部１２は、前記映像データに基づき電極駆動部１４の駆動制御を実行、即ち、メニュー映像が主画面領域１０１ｂに表示され、当該メニュー映像に関連する映像がサブ画面領域１０２ｂに表示されるように電極駆動部１４の駆動制御を実行する。
このように、映像表示制御部１２は、物体が新たに置かれたことにより遮蔽領域１０ａ、非遮蔽領域１０ｂの位置情報が変化し、変化後の状態が所定時間継続すると、変化後の位置情報に基づき、非遮蔽領域１０ｂに表示中のメニュー映像を再表示する。
【００５１】
その結果、主画面領域１０１ｂにメニュー映像が表示され、サブ画面領域１０２ｂにメニュー映像に関連する映像が表示される。
【００５２】
また、図１（Ｂ）に示した状態から、図１（Ｃ）に示したように、ユーザが、他の物体を表示パネル１０の左側に置いた場合も、前述のようにして、映像表示制御部１２は、主画面領域１０３ｂに、表示中のメニュー映像を縮小表示する処理を実行し、他の領域であるサブ画面領域１０４ｂ、１０５ｂに当該縮小表示した映像に関連する映像や、操作用画面を表示する。
【００５３】
図１（Ｃ）に示した状態から、ユーザが、表示パネル１０の左側に置かれた物体を取り除くと、センサ１５は、当該物体が表示パネル１０の上から取り除かれたことを検知する。領域検知部１６は、遮蔽領域１０ａ、非遮蔽領域１０ｂの位置情報を検知し、制御部１８に出力する。
【００５４】
制御部１８が、領域検知部１６から位置情報を受信すると、タイマ１８ｂは、時間計測を開始する。タイマ１８ｂが計測した時間が所定時間Ｙを過ぎても、前記物体がそのまま取り除かれている場合（表示パネル１０に再び置かれていない場合）、即ち、所定時間Ｙが経過しても位置情報に変化が無い場合、遮蔽領域１０ａ、非遮蔽領域１０ｂの位置情報を映像表示制御部１２に出力する。所定時間Ｙは、パラメータ設定画面を介して設定する非物体検知時間であり、例えば、秒単位又は分単位で設定することが可能である。
【００５５】
以後は、前述したように、映像表示制御部１２は、制御部１８からの遮蔽領域１０ａ、非遮蔽領域１０ｂの位置情報を受信すると、非遮蔽領域１０ｂに対応する表示パネル１０の領域に表示中のメニュー映像を縮小表示する処理等を実行する。なお、全ての物体が表示パネル１０から取り除かれた場合、表示パネル１０の全表示領域に映像を表示する。
【００５６】
所定時間Ｙが経過するまでに物体が元の位置に戻された場合には、前記した映像表示処理は実行しない。それ故、映像表示範囲の変化が頻発しないのでユーザが不快に感じることがない。
【００５７】
前述した映像表示制御部１２の映像表示制御は、記憶部１３に記憶されたユーザパラメータ１３ｂの内容を参照しながら実行される。例えば、ユーザパラメータ設定画面を介して最小表示範囲を“５０”と設定し、図１（Ｃ）に示したサブ画面領域１０５ｂの面積（区画数）が“４０”の場合を想定する。この場合、設定された最小表示範囲（５０）よりもサブ画面領域１０５ｂの面積（４０）が小さいので、映像表示制御部１２は、映像をサブ画面領域１０５ｂに表示しない。
【００５８】
また、例えば、ユーザパラメータ設定画面を介して最大映像数を“２”に設定した場合を想定する。この場合、図１（Ｃ）に示した状態では、３つの映像を主画面領域１０３ｂ、２つのサブ画面領域１０４ｂ、１０５ｂに表示できるが、設定された最大映像数は“２”なので、サブ画面領域１０５ｂには映像を表示しない。他にも、アスペクト比変更無しに設定するとアスペクト比の変更を実行せずに映像表示を行う。
【００５９】
図４のフロー図を用いてユーザパラメータ設定処理を説明する。
ユーザが、リモコン装置２を操作して、表示装置１にユーザパラメータ設定画面の表示を指示する。制御部１８のパラメータ設定制御部１８ａは、前記指示に基づき、ユーザパラメータ設定画面を表示パネル１０に表示する（ステップＳ１）。
【００６０】
ユーザが、前記ユーザパラメータ設定画面を介して最小表示範囲、最大映像表示数等のパラメータを設定してＯＫボタンを操作した場合（ステップＳ２／設定）、映像表示制御部１２は、設定された最小表示範囲等を表示パネル１０にサンプル表示する（ステップＳ３）。
【００６１】
サンプル表示を確認したユーザが、リモコン装置２の決定ボタンを操作すると（ステップＳ４／決定ボタン）、パラメータ設定制御部１８ａは、設定されたパラメータをユーザパラメータ１３ｂとして記憶部１３に記憶する（ステップＳ５）。ステップＳ４において、ユーザが、リモコン装置２のキャンセルボタンを操作すると（ステップＳ４／キャンセルボタン）、ステップＳ２に戻る。
【００６２】
なお、前記ユーザパラメータ設定画面を介して最小表示範囲、最大映像表示数等を設定せずにＯＫボタンを操作した場合（ステップＳ２／非設定）、デフォルト値の最小表示範囲等を表示パネル１０にサンプル表示して（ステップＳ６）、ステップＳ４に移る。
【００６３】
次に、図５のフロー図を用いて本発明の映像表示処理を説明する。
映像表示制御部１２は、記憶部１３の映像データ１３ａに含まれているメニュー映像データに基づき、電極駆動部１４を駆動制御し、メニュー映像を表示パネル１０の全面に表示する（ステップＳ１１）。
【００６４】
その後、センサ１５が、表示パネル１０に物体が置かれたこと、又は、表示パネル１０に置かれた物体が取り除かれたことを検知すると（ステップＳ１２／検知有）、更に、表示パネル１０に物体が置かれたか、又は、表示パネル１０に置かれた物体が取り除かれたかを判定する（ステップＳ１３）。表示パネル１０に物体が置かれていない場合、又は、表示パネル１０に置かれた物体が取り除かれていない場合には（ステップＳ１２／検知無）、ステップＳ１１の処理が継続される。
【００６５】
表示パネル１０に物体が置かれた場合（ステップＳ１３／物体が置かれた）、領域検知部１６は、遮蔽領域１０ａ、非遮蔽領域１０ｂの位置情報を検知し（ステップＳ１４）、制御部１８は、所定時間Ｘを過ぎても、物体が表示パネル１０に置かれているか、即ち、ステップＳ１２の検知から所定時間Ｘが経過しても位置情報に変化が無いか否かを判定する（ステップＳ１５）。
【００６６】
所定時間Ｘが経過しても位置情報に変化が無い場合（ステップＳ１５／ＹＥＳ）、制御部１８は、遮蔽領域１０ａ、非遮蔽領域１０ｂの位置情報を映像表示制御部１２に出力し、映像表示制御部１２は、制御部１８から入力された遮蔽領域１０ａ、非遮蔽領域１０ｂの位置情報に基づき、非遮蔽領域１０ｂに縮小映像を表示し、遮蔽領域１０ａに映像を表示しない処理を実行する（ステップＳ１６）。
【００６７】
表示パネル１０から物体が取り除かれた場合（ステップＳ１３／物体が取り除かれた）、領域検知部１６は、遮蔽領域１０ａ、非遮蔽領域１０ｂの位置情報を検知し（ステップＳ１８）、制御部１８は、所定時間Ｙを過ぎても、前記物体が表示パネル１０から取り除かれたままか、即ち、ステップＳ１２の検知から所定時間Ｙが経過しても位置情報に変化が無いか否か否かを判定する（ステップＳ１９）。
【００６８】
所定時間Ｙが経過しても位置情報に変化が無い場合（ステップＳ１９／ＹＥＳ）、ステップＳ１６の処理を実行する。なお、全ての物体が表示パネル１０から取り除かれた場合、表示パネル１０の全表示領域に映像を表示する。
所定時間Ｘ／所定時間Ｙが経過する前に、位置情報が変化した場合（ステップＳ１５／ＮＯ）／（ステップＳ１９／ＮＯ）、ステップＳ１２に戻る。
【００６９】
表示装置１の電源がオンの状態では（ステップＳ１７／ＹＥＳ）、ステップＳ２に戻り、表示装置１の電源がオフされると（ステップＳ１７／ＮＯ）、処理を終了する。
【００７０】
前記実施例では、メニュー映像について説明したが、他にもテレビ番組の映像等、様々な映像を表示することができる。この場合、主画面領域にテレビ番組の映像を縮小表示し、サブ画面領域に当該テレビ番組に関連する映像、例えば、主演者等の情報映像を表示してもよい。他にも、サブ画面領域に、前記テレビ番組を更に縮小した映像を表示してもよいし、前記映像の字幕情報、天気予報、コマーシャル、地理情報等、各種情報を表示しても良い。
【００７１】
主画面領域に、ニュース番組、映画、広告、ライブ映像等複数の映像が表示され、これを切り替えボタン（コントロールパネル）により順次切り替え表示できる場合には、サブ画面領域に、切り替えボタンを表示して、このボタン操作に基づき切り替え表示を実行しても良い。
【００７２】
主画面領域に、広告映像を表示し、サブ画面領域に、広告する商品の名称や当該商品の製造会社名等を表示しても良い。
【００７３】
（変形例）
本発明は、テーブルディスプレイだけでなく、歩道に面した店舗の壁面に設けられ、ニュース等を表示する垂直型表示装置（ディスプレイ）についても適用できる。この場合、センサ１５として、特開２００７−１０８８４２号公報等に開示されている近接センサ（非接触センサとも言う）を用いて、領域検知部１６が、遮蔽領域１０ａ、非遮蔽領域１０ｂの位置情報を検知すればよい。このようにすることで、表示パネルの前に物体（遮蔽物）が置かれ、映像表示が遮られても、非遮蔽領域１０ｂに映像が表示される。
【００７４】
本発明によれば、非遮蔽領域に映像を表示し、遮蔽領域に映像を表示しないので、ユーザは全映像を視聴することができる。また、遮蔽領域に映像を表示しないので省電になる。
表示装置１が液晶表示装置であり、ローカルディミング機能を有するバックライトを備えている場合には、遮蔽領域に対応するバックライトの発光素子を消灯することにより、更なる省電が可能になる。
【符号の説明】
【００７５】
１…表示装置、１０…表示パネル、１０ａ…遮蔽領域、１０ｂ…非遮蔽領域、１０１ｂ，１０３ｂ…主画面領域、１０２ｂ，１０４ｂ，１０５ｂ…サブ画面領域、１１…映像データ入力部、１２…映像表示制御部、１２ａ…映像データ生成部、１３…記憶部、１３ａ…映像データ、１３ｂ…ユーザパラメータ、１４…電極駆動部、１５…センサ、１６…領域検知部、１７…リモコン受信部、１８…制御部、１８ａ…パラメータ設定制御部、１８ｂ…タイマ、２…リモコン装置。
【図１】
2011232979.tif 000003
【図２】
2011232979.tif 000004
【図３】
2011232979.tif 000005
【図４】
2011232979.tif 000006
【図５】
2011232979.tif 000007